(57)【特許請求の範囲】
【請求項１】
容器口部の上端面および内外周を囲むように嵌合される嵌合内筒、嵌合外筒および天底部を備えた略２重筒状の嵌合内外筒と、この嵌合内外筒の前記嵌合内筒に一体に連結形成され少なくとも前記天底部より上方に突き出して内容物を注出する注出筒と、この注出筒または前記嵌合内筒を塞いで前記容器口部を密閉する中栓板と、この中栓板に設けられ環状の薄肉部を備えたプルリング付きの開口部と、前記嵌合内外筒の前記天底部の外周に形成され前記注出筒の外側を伝う内容液を溜める環状凹部およびこの環状凹部の外周に、上方に突き出して前記嵌合外筒と一体に形成され当該環状凹部と協働して前記注出筒の外側を伝う内容液を溜める液溜め筒と、この液溜め筒と前記嵌合外筒との内周面から縦方向に形成される切り裂き用の縦方向スコア部と、この縦方向スコア部に対応する位置の前記液溜め筒と前記嵌合外筒との外周面に、下端部を残して形成され前記縦方向スコア部と協働して切り裂かれる縦方向凹溝と、前記縦方向スコア部と連結され前記環状凹部の底部近傍と前記嵌合外筒の内周面との間の周方向に形成される切り裂き用の周方向スコア部とからなることを特徴とする容器用中栓。
【請求項２】
前記液溜め筒に、前記縦方向スコア部に連結する把持部を上方に突き出して一体に形成したことを特徴とする請求項１記載の容器用中栓。
【請求項３】
前記液溜め筒外周に、前記縦方向凹溝と平行に初期切り裂き用凹溝を形成したことを特徴とする請求項１または２記載の容器用中栓。
【発明の詳細な説明】
【０００１】
【発明の属する技術分野】
この発明は、容器用中栓に関し、容器口部に嵌合され、密閉状態にするとともに、使用時には内容物の液切れ性の向上を図る合成樹脂製の中栓を簡単に取り外して分別廃棄性を向上するとともに、内容物が伝って汚れないようにしたものである。
【０００２】
【従来の技術】
従来から、調味料などの内容物を入れる合成樹脂製やガラス製の容器には、合成樹脂製の中栓を嵌合して使用することが多く、製造から使用するまでの密閉性を確保するとともに、使用時には、プルリング付きの開口部を開口し、液切れ性の向上を図るようにしている。
【０００３】
このような中栓が取り付けられた合成樹脂製やガラス製の容器を回収して再使用したり、資源として再利用する場合には、強固に嵌合されている中栓を容器の口部から取り外して分別する必要がある。
【０００４】
このため製造から内容物を使い終わるまでの間は、中栓として強固に嵌合される一方、使用後は簡単に取り外すことができるようにした中栓が種々提案されている。
【０００５】
例えば容器口部を覆う着脱可能なカバーキャップの内側に設けられる中栓の一つが特開平１１−３２１９１３号公報に開示されており、図６に示すように、容器口部の上端面および内外周を覆って嵌合される上壁１で連結された略２重筒状の筒部２を備えており、この筒部２の内側に注出筒３が設けられ、この注出筒３の底部が塞がれてプルリング４で開口可能な開口部５が設けられている。
【０００６】
したがって、容器口部に上壁１を当てて筒部２を嵌合することで密閉状態にでき、使用する場合には、プルリング４を引っ張って注出筒３の底部の開口部５をあけて内容物を注出筒３に沿って取り出すようにしている。
【０００７】
一方、使用後、容器を分別回収する場合には、中栓を取り外す必要があるため、筒部２に縦方向弱化線６を形成するとともに、筒部２の上壁に周方向弱化線７を形成し、筒部２の分離基端部８の上端に把持部９を形成するようにしてある。
【０００８】
したがって、把持部９を斜め下方に引くことで縦方向弱化線６が切れた後、周方向弱化線７も切れ始め、周方向弱化線７の終端まで切ると中栓を容器口部から取り外すことができるようになる。
【０００９】
【発明が解決しようとする課題】
ところが、このような中栓の必要な機能の一つに内容物を注ぎ出す場合に注出筒３に沿って注ぐことで液切れ性の向上を図るようにするが、注出筒３の外側を伝って落ちるわずかな内容物があり、繰り返し使っていると、中栓の外側や容器口部の周囲が汚れてしまうという問題がある。
【００１０】
そこで、注出筒の外側を伝う内容物で汚れることない構造の中栓の開発が望まれるとともに、このような機能に加え分別回収の際に簡単に取り外すことができる機能も備えたものでなければならない。
【００１１】
さらに、これら機能を付加した場合にも、従来の中栓とほぼ同一寸法、同一外形状にすることが望まれ、内容物を充填後、中栓を打ち込む設備などの改造をも不要とするものが望まれている。
【００１２】
この発明はかかる従来技術の有する課題および要望に鑑みてなされたもので、廃棄時や回収時には、簡単に取り外して分別することができ、通常の使用時には、内容物が伝って汚れないようにした容器用中栓を提供しようとするものである。
【００１３】
【課題を解決するための手段】
上記従来技術が有する課題を解決するためこの発明の請求項１記載の容器用中栓は、容器口部の上端面および内外周を囲むように嵌合される嵌合内筒、嵌合外筒および天底部を備えた略２重筒状の嵌合内外筒と、この嵌合内外筒の前記嵌合内筒に一体に連結形成され少なくとも前記天底部より上方に突き出して内容物を注出する注出筒と、この注出筒または前記嵌合内筒を塞いで前記容器口部を密閉する中栓板と、この中栓板に設けられ環状の薄肉部を備えたプルリング付きの開口部と、前記嵌合内外筒の前記天底部の外周に形成され前記注出筒の外側を伝う内容液を溜める環状凹部およびこの環状凹部の外周に、上方に突き出して前記嵌合外筒と一体に形成され当該環状凹部と協働して前記注出筒の外側を伝う内容液を溜める液溜め筒と、この液溜め筒と前記嵌合外筒との内周面から縦方向に形成される切り裂き用の縦方向スコア部と、この縦方向スコア部に対応する位置の前記液溜め筒と前記嵌合外筒との外周面に、下端部を残して形成され前記縦方向スコア部と協働して切り裂かれる縦方向凹溝と、前記縦方向スコア部と連結され前記環状凹部の底部近傍と前記嵌合外筒の内周面との間の周方向に形成される切り裂き用の周方向スコア部とからなることを特徴とするものである。
【００１４】
この容器用中栓によれば、容器口部の上端面および内外周を囲むように嵌合される嵌合内筒、嵌合外筒および天底部を備えた略２重筒状の嵌合内外筒と、この嵌合内外筒の前記嵌合内筒に一体に連結形成され少なくとも前記天底部より上方に突き出して内容物を注出する注出筒と、この注出筒または前記嵌合内筒を塞いで前記容器口部を密閉する中栓板と、この中栓板に設けられ環状の薄肉部を備えたプルリング付きの開口部と、前記嵌合内外筒の前記天底部の外周に形成され前記注出筒の外側を伝う内容液を溜める環状凹部およびこの環状凹部の外周に、上方に突き出して前記嵌合外筒と一体に形成され当該環状凹部と協働して前記注出筒の外側を伝う内容液を溜める液溜め筒と、この液溜め筒と前記嵌合外筒との内周面から縦方向に形成される切り裂き用の縦方向スコア部と、この縦方向スコア部に対応する位置の前記液溜め筒と前記嵌合外筒との外周面に、下端部を残して形成され前記縦方向スコア部と協働して切り裂かれる縦方向凹溝と、前記縦方向スコア部と連結され前記環状凹部の底部近傍と前記嵌合外筒の内周面との間の周方向に形成される切り裂き用の周方向スコア部とで中栓が構成してあり、嵌合内外筒の天底部の外周面に形成された環状凹部と、その外周面に形成した液溜め筒とで注出筒の外側を伝う内容物を溜めることで内容物による汚れを防止するようにし、液溜め筒と嵌合外筒との内周面の縦方向に形成した縦方向スコア部と、環状凹部の底部近傍と嵌合外筒の内周面との間の周方向に形成した周方向スコア部とを形成することで、液溜め筒を引っ張ることで簡単に嵌合外筒の嵌合を緩めて取り外すことができ、分別回収などが簡単にできるようになる。
また、前記液溜め筒と前記嵌合外筒との外側面に、前記縦方向スコア部に対応する位置に縦方向凹溝を、下端部を残して形成するようにしており、一層簡単に嵌合外筒の嵌合を緩めて取り外すことができ、下端部を残すことで嵌合時の破損を防止できるようにするとともに、分別可能な中栓であることが嵌合外筒の外側から簡単に分かり、特に外形状が従来と同一の場合でも内容物充填後の中栓の取り付けの際の区別が簡単にできるようになる。
【００１７】
さらに、この発明の請求項２記載の容器用中栓は、請求項１記載の構成に加え、前記液溜め筒に、前記縦方向スコア部に連結する把持部を上方に突き出して一体に形成したことを特徴とするものである。
【００１８】
この容器用中栓によれば、前記液溜め筒に前記縦方向薄肉部に連結する把持部を上方に突き出して一体に形成するようにしており、把持部をつかんで一層容易に分別回収の際の取り外しができるようになる。
【００１９】
また、この発明の請求項３記載の容器用中栓は、請求項１または２記載の構成に加え、前記液溜め筒外周に、前記縦方向凹溝と平行に初期切り裂き用凹溝を形成したことを特徴とするものである。
【００２０】
この容器用中栓によれば、前記縦方向凹溝に平行して前記液溜め筒外周に初期切り裂き用の切り裂き用凹溝を形成するようにしており、把持部を設けない場合には、縦方向凹溝と切り裂き用凹溝との間を掴んで切り裂くことで一層簡単に中栓を取り外すことができるようになり、把持部を形成する場合には、縦方向凹溝と切り裂き用凹溝との間に把持部を一体に形成するようにすることでこれら２つの凹溝によって一層簡単に切り裂くことができるようになる。
【００２１】
【発明の実施の形態】
以下、この発明の実施の形態について図面に基づき詳細に説明する。
図１〜図４はこの発明の容器用中栓を容器本体に着脱するカバーキャップ内の容器口部に適用した一実施の形態にかかり、図１はカバーキャップとともに示す縦断面図および周方向薄肉部の拡大断面図、図２は縦方向薄肉部の拡大断面図とともに示す平面図、図３は底面図および図１の切断面と直交する方向で切断した縦断面図、図４は取り外し動作の説明図である。
【００２２】
この容器用中栓１０は、ＰＥＴなどの合成樹脂やガラスなどで作られた容器ａの容器口部ｂに嵌合して使用されるもので、ＰＰ（ポリプロピレン）やＰＥ（ポリエチレン）などの合成樹脂で一体成形されたものである。
【００２３】
この容器用中栓１０は、容器口部ｂの上端面ｃおよび内外周ｄ，ｅを囲むように嵌合される嵌合内外筒１１を備えており、嵌合内筒１１ａと嵌合外筒１１ｂとが天底部１１ｃで連結されて一体に形成され、天底付きの略２重筒状に形成されている。
【００２４】
この嵌合内外筒１１の嵌合外筒１１ｂの中間部内周には、内側に突き出して凸条１２が形成され、容器ａの容器口部ｂの外周に予め形成された凹溝ｆに嵌合され、密閉状態で嵌合できるようになっている。
【００２５】
また、この嵌合内外筒１１の嵌合内筒１１ａには、その内周側に一体に連結されて筒状の注出筒１３が天底部１１ｃの上方に突き出して設けてあり、ここでは、注出筒１３の下半分が嵌合内筒１１ａと兼用されている。この注出筒１３の上端部が外側に拡径されてロート状に形成され、内容物の注出を円滑にできるようにするとともに、注出後の液切れ性を向上できるようにしてある。
【００２６】
なお、嵌合内筒１１ａと注出筒１３とを独立させ、嵌合内外筒１１と注出筒１３の下半分とが３重筒状となるように構成しても良い（図６参照）。
【００２７】
そして、嵌合内外筒１１の嵌合内筒１１ａの容器口部ｂの内側中間部に位置する底部１４（ここでは、注出筒１３の底部１４でもある）が一体に形成された中栓板１５で塞がれて容器口部ｂを密閉するようになっており、この中栓板１５の裏側に環状の薄肉部としてのスコア１６が形成され、中栓板１５の表面のスコア１６の内側端部上に一体にプルリング１７が形成され、中栓板１５の環状のスコア１６部分の内側を引き裂くことで内容物を取り出す開口部１８を開けることができるようにしてある。
【００２８】
この嵌合内筒１１ａおよび注出筒１３の底部１４は、図３（ｂ）に示すように、すり鉢状に形成してあり、開口部１８の長手方向両端部が嵌合内筒１１ａの下端近傍からの僅かな高さの傾斜面とされ、これと直交する開口部１８の長手方向両側部が天底部１１ｃ近傍からの高い傾斜面としてあり、注出の際、注出筒１３の内側に残った内容液が容器ａ内に回収されやすい構造としてある。
【００２９】
そして、このような容器用中栓１０の嵌合内外筒１１の外径や天底部１１ｃからの注出筒１３先端までの高さなどの外形状や寸法がこれまでの中栓とほぼ同一にしてある。
【００３０】
この容器用中栓１０では、注出筒１３の外側を伝う内容物で汚れないようにするため、嵌合内外筒１１の天底部１１ｃの外周に容器口部ｂの上端面ｃより低い位置で環状凹部１９が形成され、天底部１１ｃと段差が形成された構造としてあり、この環状凹部１９の外周に天底部１１ｃより上方に突き出して嵌合外筒１１ｂを延長した液溜め筒２０が一体に形成され、上端縁が注出筒１３の中間部に位置するようになっている。
【００３１】
したがって、注出筒１３の外側には、液溜め筒２０が位置し、その底部が天底部１１ｃと環状凹部１９とで段差状に塞がれており、注出筒１３の外側を伝う内容物を溜めることができるようになっている。
【００３２】
このような容器用中栓１０では、分別回収する場合などに容器口部ｂから簡単に取り外すことができるようにするため、液溜め筒２０と嵌合外筒１１ｂの内周面に縦方向（中栓の中心軸方向）に縦方向薄肉部２１としてスコアが形成されるとともに、この縦方向薄肉部２１に対応する位置から環状凹部１９の底部近傍と嵌合外筒１１ｂの内周との間の裏面（内側面）に周方向薄肉部２２として食い違い構造による薄肉部が周方向に沿って形成してある。
【００３３】
この食い違い構造とは、環状凹部１９の内周側壁底部１９ａの下側に環状外筒１１ｂの上端角部１１ｄが入り込んでいる形状をいい、内周側壁底部１９ａの位置を上下することで薄肉部の厚さを変えるようにしている。
【００３４】
なお、この周方向薄肉部２２としては、食い違い構造による環状凹部１９と嵌合外筒１１ｂとの間の肉厚を薄く形成する場合に限らず、スコアとして構成するようにしても良い。
【００３５】
この周方向薄肉部２２は、始端が縦方向薄肉部２１に対応する位置とされ、終端が、例えば図２に示すように、２７０度や３６０度の位置となるように形成されるほか、少なくとも１８０度の範囲となるように形成する。
【００３６】
そして、縦方向薄肉部２１としてのスコアは、切り始めとなる上方程深くし、残される肉厚を小さくして切り裂き易くすることが好ましく、例えば液溜め筒２０部分の残される肉厚を小さくし、環状凹部１９の底部分から嵌合外筒１１ｂの下端までをわずかに厚くする２段階の厚さにするようにする。
【００３７】
同様に、この周方向薄肉部２２としての食い違い構造による薄肉部も、始端から４０度ないし１２０度の範囲では、残される肉厚を薄くして切り裂き易くすることが好ましい。
【００３８】
さらに、この容器用中栓１０では、図２および図４に示すように、液溜め筒２０と嵌合外筒１１ｂの外周の縦方向薄肉部２１に対応する位置に縦方向凹溝２３が下端部２４を僅かに残すほぼ全長に形成してあり、この縦方向凹溝２３を形成する場合にも、形成しない場合とほぼ同一の縦方向薄肉部２１の肉厚が残されてスコアを介して連結された状態となるようにしたり、薄肉となるようにする。
【００３９】
この縦方向凹溝２３によって切り始め位置が容器用中栓１０の外側から分かるとともに、外観から分別回収時に簡単に取り外すことができる容器用中栓１０であることも分かるようになり、特に従来のものと外形寸法などがほぼ同一であることから、この縦方向凹溝２３の存在によって簡単に識別することができる。
【００４０】
また、この容器用中栓１０では、図２および図４に示すように、さらに切り始めを容易とするため、縦方向凹溝２３と隣接して平行に初期切り裂き用凹溝２５が縦方向凹溝２３の上端から中間部まで形成してあり、例えば液溜め筒２０部分にのみ形成するようにする。そして、この初期切り裂き用凹溝２５に対応する液溜め筒２０の内周部分に、縦方向のスコア２６が形成してある。
【００４１】
この初期切り裂き用凹溝２５と縦方向凹溝２３との間隔は、取り外す場合に把持できるように、５〜１５mm程度、好ましくは１０mm以上とする。
【００４２】
このような初期切り裂き用凹溝２５によって一層容易に切り裂き開始位置が分かるとともに、初期切り裂き用凹溝２５及びスコア２６によって切り裂き開始の力が小さくて良く、簡単に切り裂きができるようになる。
【００４３】
なお、この初期切り裂き用凹溝２５に対応して形成するスコア２６は必ずしも形成しなくても良く、凹溝２５の深さを変えるようにして切り裂き易くしても良い。
【００４４】
このような容器用中栓１０の外側には、カバーキャップ２７が被せられ、カバーキャップねじ２８が容器ａの取り付けねじｇを介して着脱できるようになっており、容器ａに取り付けた状態でカバーキャップ２７のインナーリング２９が注出筒１３の内周に密着するようになっている。
【００４５】
このように構成した容器用中栓１０は容器ａに内容物を充填後、キャッピング設備で打ち込まれて嵌合装着されて密閉状態とされ、カバーキャップ２７が取り付けられる。
【００４６】
この容器用中栓１０の打ち込みの際、大きな力が加わるが、縦方向凹溝２３は、下端部２４をわずかに残して形成してあるので、縦方向薄肉部２１等が切れてしまうことが防止される。
【００４７】
そして、内容物を初めて取り出す場合には、カバーキャップ２７を容器ａから取り外した後、容器用中栓１０の中心部のプルリング１７を引き上げて開口部１８を形成し、容器ａを傾けて注出筒１３に沿って内容物を注出する。
【００４８】
この内容物の注出の際、内容物によっては注出筒１３の外側を伝う内容物が僅かにあるが、これが液溜め筒２０の内側に溜り、外側にこぼれ出ることがなく、容器用中栓１０の外側を汚したり、容器ａの外側を汚すことが防止される。
【００４９】
この外側を伝う内容物は繰り返し注出する際に僅かずつ溜ることになるが、環状凹部１９によって底部が深くしてあるので、通常の使用回数では溢れ出ることはなく、場合によっては、さらに多く溜められるようにすることで対応する。
【００５０】
一方、内容物を使い切って容器ａを廃棄したり、分別回収する場合には、容器用中栓１０を取り外す必要があり、図４に示すようにして取り外す。
【００５１】
まず、液溜め筒２０の縦方向凹溝２３と初期切り裂き用凹溝２５が形成してある場合にはその間を、縦方向凹溝２３だけの場合には、その外周部を、指で把持し、手前に引っ張るようにする。
【００５２】
すると、縦方向凹溝２３の裏側の縦方向薄肉部２１が切り裂かれたり、縦方向凹溝２３の裏側の縦方向薄肉部２１および初期切り裂き用凹溝２５のスコア２６が切り裂かれた後、周方向薄肉部２２も切り裂かれる。
【００５３】
そして、さらに、指で把持したまま円周方向に引き裂くようにすると、周方向薄肉部２２が終端まで切り裂かれる。
【００５４】
すると、容器用中栓１０の嵌合内外筒１１の嵌合外筒１１ｂが少なくとも１８０度以上切り裂かれた状態になり、容器口部ｂから簡単に取り外すことができる。
【００５５】
この場合、周方向薄肉部２２が３６０度全周に形成してある場合には、液溜め筒２０と嵌合外筒１１ｂが分離されることになるので、容器口部ｂに残った部分を別体として取り外すようにすれば良く、周方向薄肉部２２が全周に形成してない場合には、切り裂き状態で液溜め筒２０を把持したまま、容器用中栓１０を一体として取り除くことができる。
【００５６】
このような容器用中栓１０によれば、注出筒１３の外側を伝う内容液を液溜め筒２０の内側に溜めることができ、容器用中栓１０の外側が汚れたり、容器ａが汚れることがない。
【００５７】
また、この容器用中栓１０によれば、内容物を使い終わって容器ａを廃棄したり、回収する場合に、液溜め筒２０の縦方向凹溝２３と初期切り裂き用凹溝２５の間をつかんで手前に引っ張るようにした後、周方向に引っ張るようにすることで、縦方向薄肉部２１と周方向薄肉部２２によって簡単に引き裂くことができ、容器口部ｂから容器用中栓１０を簡単に取り外すことができる。
【００５８】
この容器用中栓１０の取り外しのための周方向薄肉部２２が環状凹部１９の底部近傍と嵌合外筒１１ｂの内周との間に形成してあり、幅が狭く深い環状凹部１９によって液溜め筒２０の上端から周方向薄肉部２２までの距離を大きくすることで引き裂こうとする力を集中させることができ、従来の水平な壁の中間部にスコアなどを形成する場合に比べ、小さな切り裂き力で切り裂いて取り除くことができる。
【００５９】
また、この環状凹部１９を設けることで、液溜め筒２０の把持が容易にできるようになり、これによって液溜め筒２０の高さを高くする必要もなく、従来の中栓とほぼ同一外形状やほぼ同一寸法にすることができ、容器用中栓１０を容器口部ｂに打ち込むためのキャッピング設備等をそのまま使用することができる。
【００６０】
一方、従来の中栓とほぼ同一外形状やほぼ同一寸法であっても、この容器用中栓１０では、嵌合内外筒１１の嵌合外筒１１ｂの外周に縦方向凹溝２３や初期切り裂き用凹溝２５が形成してあるので、一目で簡単に取り除くことができる容器用中栓１０であることが分かる。
【００６１】
また、この容器用中栓１０では、縦方向凹溝２３を形成する場合に、下端部２４を残して形成してあるので、容器口部ｂへの取り付けの際に縦方向薄肉部２１などが破損することを防止することができる。
【００６２】
なお、この実施の形態では、嵌合内外筒の嵌合外筒の外周に縦方向凹溝と初期切り裂き用凹溝とを形成するようにしたが、縦方向凹溝だけを形成するようにしても良い。
【００６３】
次に、この発明の他の一実施の形態について図５に基づいて説明するが、既に説明した容器用中栓と同一部分については同一符号を記し、説明は省略する。
図５はこの発明の容器用中栓の他の一実施の形態にかかるカバーキャップとともに示す縦断面図および取り外し動作の説明図である。
【００６４】
この容器用中栓３０では、液溜め筒２０に引き裂き用の把持部３１を備える点で既に説明した容器用中栓１０と相違している。
【００６５】
この容器用中栓３０では、液溜め筒２０の縦方向薄肉部２１に連結して液溜め筒２０の上端面に突き出して一体に把持部３１が形成してある。
【００６６】
ここでは、把持部３１が液溜め筒２０の外周の縦方向凹溝２３と初期切り裂き用凹溝２５との間に形成してある。
【００６７】
なお、他の構成は既に説明した容器用中栓１０と同一であるので、説明は省略する。
【００６８】
このように構成した容器用中栓３０では、既に説明した容器用中栓１０と同一の作用効果を奏するとともに、さらに液溜め筒２０に上方に突き出して把持部３１が形成してあるので、この把持部３１をつかんで手前に引っ張るようにすることで、縦方向薄肉部２１および周方向薄肉部２２を引き裂くことができ、一層つかみ易く、小さな力で切り裂いて容器用中栓３０を取り除くことができる。
【００６９】
また、この把持部３１が形成してあるので、切り裂き開始位置を一層簡単に知ることができる。
【００７０】
したがって、特に嵌合内外筒１１の嵌合外筒１１ｂの外周に縦方向凹溝２３と初期切り裂き用凹溝２５のいずれも形成しない場合であっても、従来の中栓との判別が簡単にでき、初期切り裂き用凹溝２５を形成しないようにすることもできる。
【００７１】
【発明の効果】
以上、実施の形態とともに具体的に説明したように、この発明の請求項１記載の容器用中栓によれば、容器口部の上端面および内外周を囲むように嵌合される嵌合内筒、嵌合外筒および天底部を備えた略２重筒状の嵌合内外筒と、この嵌合内外筒の前記嵌合内筒に一体に連結形成され少なくとも前記天底部より上方に突き出して内容物を注出する注出筒と、この注出筒または前記嵌合内筒を塞いで前記容器口部を密閉する中栓板と、この中栓板に設けられ環状の薄肉部を備えたプルリング付きの開口部と、前記嵌合内外筒の前記天底部の外周に形成され前記注出筒の外側を伝う内容液を溜める環状凹部およびこの環状凹部の外周に、上方に突き出して前記嵌合外筒と一体に形成され当該環状凹部と協働して前記注出筒の外側を伝う内容液を溜める液溜め筒と、この液溜め筒と前記嵌合外筒との内周面から縦方向に形成される切り裂き用の縦方向スコア部と、この縦方向スコア部に対応する位置の前記液溜め筒と前記嵌合外筒との外周面に、下端部を残して形成され前記縦方向スコア部と協働して切り裂かれる縦方向凹溝と、前記縦方向スコア部と連結され前記環状凹部の底部近傍と前記嵌合外筒の内周面との間の周方向に形成される切り裂き用の周方向スコア部とで中栓が構成したので、嵌合内外筒の天底部の外周面に形成された環状凹部と、その外周面に形成した液溜め筒とで注出筒の外側を伝う内容物を溜めることで内容物による汚れを防止することができ、液溜め筒と嵌合外筒との内周面縦方向に形成した縦方向スコア部と、環状凹部の底部近傍と嵌合外筒の内周面との間の周方向に形成した周方向スコア部とを形成することで、液溜め筒を引っ張ることで簡単に嵌合外筒の嵌合を緩めて取り外すことができ、分別回収などを簡単に行うことができる。
【００７２】
また、この容器用中栓によれば、前記液溜め筒と前記嵌合外筒との外側面に、前記縦方向スコア部に対応して縦方向凹溝を、下端部を残して形成するようにしたので、一層簡単に嵌合外筒の嵌合を緩めて取り外すことができ、下端部を残すことで嵌合時の破損を防止することができるとともに、分別可能な中栓であることが嵌合外筒の外側から簡単に分かり、特に外形状が従来と同一の場合でも内容物充填後の中栓の取り付けの際の区別が簡単にできる。
【００７３】
さらに、この発明の請求項２記載の容器用中栓によれば、前記液溜め筒に、前記縦方向スコア部に連結する把持部を上方に突き出して一体に形成するようにしたので、把持部をつかんで一層容易に分別回収の際の取り外しができる。
【００７４】
また、この発明の請求項３記載の容器用中栓によれば、前記液溜め筒外周に、前記縦方向凹溝と平行に初期切り裂き用凹溝を形成するようにしたので、把持部を設けない場合には、縦方向凹溝と切り裂き用凹溝との間を掴んで切り裂くことで一層簡単に中栓を取り外すことができ、把持部を形成する場合には、縦方向凹溝と切り裂き用凹溝との間に把持部を一体に形成することでこれら２つの凹溝によって一層簡単に切り裂くことができる。
【００７５】
そして、これらの容器用中栓によれば、外形状や外形寸法を従来の中栓とほぼ同一にでき、嵌合装着のためのキャッピング設備等をそのまま使用することができる。
【図面の簡単な説明】
【図１】この発明の容器用中栓を容器本体に着脱するカバーキャップ内の容器口部に適用した一実施の形態にかかるカバーキャップとともに示す縦断面図および周方向薄肉部の拡大断面図である。
【図２】この発明の容器用中栓を容器本体に着脱するカバーキャップ内の容器口部に適用した一実施の形態にかかる縦方向薄肉部の拡大断面図とともに示す平面図である。
【図３】この発明の容器用中栓を容器本体に着脱するカバーキャップ内の容器口部に適用した一実施の形態にかかる底面図および図１の切断面と直交する方向で切断した縦断面図である。
【図４】この発明の容器用中栓を容器本体に着脱するカバーキャップ内の容器口部に適用した一実施の形態にかかる取り外し動作の説明図である。
【図５】この発明の容器用中栓の他の一実施の形態にかかるカバーキャップとともに示す縦断面図および取り外し動作の説明図である。
【図６】従来の中栓の平面図および縦断面図である。
【符号の説明】
１０  容器用中栓
１１  嵌合内外筒
１１ａ  嵌合内筒
１１ｂ  嵌合外筒
１１ｃ  天底部
１３  注出筒
１４  底部
１５  中栓板
１６  スコア（薄肉部）
１７  プルリング
１８  開口部
１９  環状凹部
２０  液溜め筒
２１  縦方向薄肉部
２２  周方向薄肉部
２３  縦方向凹溝
２４  下端部
２５  初期切り裂き用凹溝
２６  スコア
２７  カバーキャップ
３０  容器用中栓
３１  把持部
ａ  容器
ｂ  容器口部
ｃ  上端面
【図１】
0004320502.tif 000002
【図２】
0004320502.tif 000003
【図３】
0004320502.tif 000004
【図４】
0004320502.tif 000005
【図５】
0004320502.tif 000006
【図６】
0004320502.tif 000007